(57)【特許請求の範囲】
【請求項１】
容器本体の上部対向位置に一対の取手部材を起伏自在に設け、この取手部材夫々を起き状態とした際に重合する部位同士で握持部を形成するように構成した取手付き容器であって、前記取手部材夫々を起き状態として前記握持部を形成した際、重合することで前記握持部にフック部を形成するフック形成体を前記取手部材夫々の握持部形成部位に設けたことを特徴とする取手付き容器。
【請求項２】
前記取手部材夫々は前記容器本体の上部対向位置に枢着され、互いに左右反対方向に倒した伏し状態から中央方向に起こし回動させることで起き状態となる構成であり、前記取手部材夫々を起き状態として前記握持部形成部位を重合させた際、重合することで前記握持部に前記フック部を形成するＵ字状のフック形成体が前記握持部形成部位に設けられていることを特徴とする請求項１記載の取手付き容器。
【請求項３】
前記フック形成体は、前記取手部材夫々の握持部形成部位に一体成形されていることを特徴とする請求項１，２のいずれか１項に記載の取手付き容器。
【請求項４】
前記取手部材として左右端部が前記容器本体に枢着されるコ字形状の取手部材を採用し、前記フック形成体は、前記握持部を形成する前記取手部材夫々の長さ方向中央部位に起伏自在に設けられ、伏し状態とした際、前記取手部材に沿設状態となる形状に設定されていることを特徴とする請求項１〜３のいずれか１項に記載の取手付き容器。
【請求項５】
前記容器本体として上部開口部を有するカゴ状の容器本体を採用したことを特徴とする請求項１〜４のいずれか１項に記載の取手付き容器。
【発明の詳細な説明】
【技術分野】
【０００１】
本発明は、例えばリンゴやナシなどの果実を収穫する際に使用される取手付き容器に関するものである。
【背景技術】
【０００２】
例えばリンゴやナシなどの木の上に実る果物を収穫する際、作業者はカゴを持って脚立に乗り、片方の手でカゴを持った状態で、もう片方の手で果物を取ってカゴに収納し、カゴが一杯になったら脚立を降りるか、脚立の下で待機するもう一人の作業者にカゴを渡すかを行っていた。
【０００３】
しかしながら、この収穫作業は、カゴ内の収穫量が増えるに従い重量が増すことになるため、片方の手で支えるのは辛く、また、果物を取るのに両手が使えず、よって、非常に作業性が悪く、しかも、脚立上で両手の自由がきかないため不安定な状態であり、落下する危険性もある。
【発明の概要】
【発明が解決しようとする課題】
【０００４】
本発明は、前述した問題点を解消する、極めて商品価値の高い画期的な取手付き容器となる。
【課題を解決するための手段】
【０００５】
添付図面を参照して本発明の要旨を説明する。
【０００６】
容器本体１の上部対向位置に一対の取手部材２を起伏自在に設け、この取手部材２夫々を起き状態とした際に重合する部位同士で握持部４を形成するように構成した取手付き容器であって、前記取手部材２夫々を起き状態として前記握持部４を形成した際、重合することで前記握持部４にフック部３を形成するフック形成体５を前記取手部材２夫々の握持部形成部位に設けたことを特徴とする取手付き容器に係るものである。
【０００７】
また、前記取手部材２夫々は前記容器本体１の上部対向位置に枢着され、互いに左右反対方向に倒した伏し状態から中央方向に起こし回動させることで起き状態となる構成であり、前記取手部材２夫々を起き状態として前記握持部形成部位を重合させた際、重合することで前記握持部４に前記フック部３を形成するＵ字状のフック形成体５が前記握持部形成部位に設けられていることを特徴とする請求項１記載の取手付き容器に係るものである。
【０００８】
また、前記フック形成体５は、前記取手部材２夫々の握持部形成部位に一体成形されていることを特徴とする請求項１，２のいずれか１項に記載の取手付き容器に係るものである。
【０００９】
また、前記取手部材２として左右端部が前記容器本体１に枢着されるコ字形状の取手部材２を採用し、前記フック形成体５は、前記握持部４を形成する前記取手部材２夫々の長さ方向中央部位に起伏自在に設けられ、伏し状態とした際、前記取手部材２に沿設状態となる形状に設定されていることを特徴とする請求項１〜３のいずれか１項に記載の取手付き容器に係るものである。
【００１０】
また、前記容器本体１として上部開口部１'を有するカゴ状の容器本体１を採用したことを特徴とする請求項１〜４のいずれか１項に記載の取手付き容器に係るものである。
【発明の効果】
【００１１】
本発明は上述のように構成したから、握持部を握持して容器本体の持ち運びが良好に行え、しかも、例えばリンゴやナシなどの木の上に実る果物（収穫物）を収穫する際には、握持部に形成されるフック部を木の枝に引っ掛け係止して容器本体を吊り下げ状態とすることで簡易に且つ安全に収穫物の収穫が行えることになるなど、極めて商品価値の高い画期的な取手付き容器となる。
【図面の簡単な説明】
【００１２】
【図１】本実施例示す斜視図である。
【図２】本実施例の要部の動作説明図である。
【図３】本実施例の要部の別例を示す斜視図である。
【図４】本実施例の使用状態説明図である。
【発明を実施するための形態】
【００１３】
好適と考える本発明の実施形態（発明をどのように実施するか）を、図面に基づいて本発明の作用を示して簡単に説明する。
【００１４】
取手部材２夫々を起き状態とした際、重合する部位同士で握持部４が形成され、この握持部４を握持して容器本体１を持ち運ぶことができる。
【００１５】
また、取手部材２夫々を起き状態として握持部４を形成した際、取手部材２夫々に設けたフック形成体５が重合することで、握持部４にはフック部３が形成される。
【００１６】
例えばリンゴやナシなどの木の上に実る果物（収穫物）を収穫する際、作業者は握持部４を握持したまま脚立に乗り、フック部３を木の枝に引っ掛け係止して容器本体１を吊り下げ状態とし、この状態で両方の手を使って収穫物を取って容器本体１に収納することができる。
【００１７】
従って、前述した従来から行われている収穫作業に比し、簡易に且つ安全に収穫物の収穫が行える。
【００１８】
また、本発明は、容器本体１を吊り下げるための部材（例えばＳ字フック）を別途携帯する必要はなく、取手部材２を重合するだけで（握持部４を形成する動作を行うだけで）簡易且つ迅速にフック部３を形成することができる。
【００１９】
また、本発明は、例えば容器本体１内への収納量が増えて重量が増えた場合であっても、この重量を一対の取手部材２により分散させて支持することができるから、常に安定的な支持状態が得られ、しかも、非常に耐久性に秀れることになる。
【実施例】
【００２０】
本発明の具体的な実施例について図面に基づいて説明する。
【００２１】
本実施例は、上部開口部１ａを有する容器本体１の上部対向位置に一対の取手部材２を起伏自在に設け、この取手部材２夫々を起き状態とした際に重合する部位同士で握持部４を形成するように構成したものである。
【００２２】
具体的には、容器本体１は、図１に図示したように適宜な合成樹脂製の部材で形成された有底筒状体であり、前後中央のストレート上縁部１ａ，１ｂと、このストレート上縁部１ａ，１ｂの左右同士間に連設する左右の湾曲上縁部１ｃ，１ｄとから成る平面視縦長円形状の上部開口部１'を有し、且つ、周壁に多数の貫通孔１”を有するカゴ状に形成されている。
【００２３】
また、容器本体１の前後中央のストレート上縁部１ａ，１ｂ夫々の長さ方向中央位置には、後述する取手部材２を枢着する枢着連結部６，７が設けられている。
【００２４】
この枢着連結部６，７夫々の左右位置には一対（計４個）の孔部（図示省略）が設けられており、この孔部には後述する取手部材２の端部２ａが貫通状態で枢着される。
【００２５】
つまり、取手部材２夫々は、容器本体１の上部対向位置に枢着され、互いに左右反対方向に倒した伏し状態から中央方向に起こし回動させることで起き状態となり、この取手部材２夫々を起き状態から左右方向に伏し回動させることで伏し状態となる構成である。
【００２６】
取手部材２夫々は、図１，２に図示したように適宜な合成樹脂製の部材形成されたコ字形状体であり、容器本体１の湾曲上縁部１ｃ，１ｄと略合致する円弧状に形成されている。
【００２７】
また、取手部材２夫々の左右の両端部２ａは、前述した容器本体１に設けた枢着連結部に貫通状態で枢着され、よって、取手部材２は枢着連結部６，７を支点に起伏回動自在となる。
【００２８】
また、取手部材２夫々は、伏し状態とした際、容器本体１の湾曲上縁部１ｃ，１ｄに沿設状態（形状合致する状態）で載置されるように形状が設定されている（図２参照）。
【００２９】
また、取手部材２夫々は、起き状態とした際、重合する部位（長さ方向中央部位）同士で握持部４が形成されるように構成されている。
【００３０】
従って、この取手部材２同士を重合させた部位から成る握持部４を持って容器本体１を持ち運ぶことができる。
【００３１】
また、取手部材２夫々には、該取手部材２夫々を起き状態として握持部４を形成した際、同時に重合することで握持部４にフック部３を形成するフック形成体５が設けられている。
【００３２】
この各フック形成体５は、図１，２に図示したように適宜な合成樹脂製の部材で形成したものであり、取手部材２夫々の握持部形成部位に一体成形されており、且つ、取手部材２夫々の湾曲外方に向けてＵ字状に突設されている。
【００３３】
従って、フック形成体５は、取手部材２夫々を起き状態として握持部形成部位を重合させた際、形状合致状態で重合することで握持部４にＵ字状のフック部３を形成することになる。
【００３４】
また、フック形成体５としては、図３に図示したように取手部材２夫々の長さ方向中央部位に起伏自在に設けられる別体としても良く、本実施例では、このフック形成体５を伏し状態とした際、取手部材２に沿設状態となる形状に設定されている。
【００３５】
本実施例は上述のように構成したから、取手部材２夫々を起き状態とした際、重合する部位同士で握持部４が形成され、この握持部４を握持して容器本体１を持ち運ぶことができる。
【００３６】
また、取手部材２夫々を起き状態として握持部４を形成した際、取手部材２夫々に設けたフック形成体５が重合することで、握持部４にはフック部３が形成される。
【００３７】
例えば図４に図示したようにリンゴやナシなどの木10の上に実る果物11（収穫物）を収穫する際、作業者は握持部４を握持したまま脚立12に乗り、フック部３を木10の枝10ａに引っ掛け係止して容器本体１を吊り下げ状態とし、この状態で両方の手を使って果物11を取って容器本体１に収納することができる。
【００３８】
よって、本実施例によれば、前述した従来から行われている収穫作業に比し、簡易に且つ安全に収穫物11の収穫が行える。
【００３９】
また、本実施例は、容器本体１を吊り下げるための部材（例えばＳ字フック）を別途携帯する必要はなく、取手部材２を重合するだけで（握持部４を形成する動作を行うだけで）簡易且つ迅速にフック部３を形成することができる。
【００４０】
また、本実施例は、例えば容器本体１内への収納量が増えて重量が増えた場合であっても、この重量を一対の取手部材２により分散させて支持することができるから、常に安定的な支持状態が得られ、しかも、非常に耐久性に秀れることになる。
【００４１】
尚、本発明は、本実施例に限られるものではなく、各構成要件の具体的構成は適宜設計し得るものである。
【符号の説明】
【００４２】
１  容器本体
１’  上部開口部
２  取手部材
３  フック部
４  握持部
５  フック形成体
【図１】
0005629294.tif 000002
【図２】
0005629294.tif 000003
【図３】
0005629294.tif 000004
【図４】
0005629294.tif 000005